(57)【特許請求の範囲】
【請求項１】
ポンプに連結されるモータと、
前記モータの側部に固定され、冷却フィンを有するインバータと、
前記モータと前記ポンプとの間に配置され、前記モータの回転軸に取り付けられた冷却ファンと、
前記モータの少なくとも一部と前記冷却ファンとを覆い、前記モータと隙間を介して配置されたカバーと、
前記モータと前記カバーとの間の隙間に配置され、該隙間を塞ぐように形成されたガイド部材を備え、
前記ガイド部材は、前記冷却ファンからの空気の流れを前記インバータに集中させ、風の流速を上げる形状を有しており、
前記インバータの冷却フィンの少なくとも一部は、前記モータに近接して配置されていることを特徴とするモータ組立体。
【請求項２】
前記ガイド部材は、一部が欠けた環状のプレートから構成されていることを特徴とする請求項１に記載のモータ組立体。
【請求項３】
前記プレートは、前記インバータに向かって傾斜していることを特徴とする請求項２に記載のモータ組立体。
【請求項４】
前記インバータは、パワースイッチング素子と、該パワースイッチング素子を収容するボックスとを有し、
前記パワースイッチング素子は、前記ボックスの内面に接触しており、
前記冷却フィンは、前記パワースイッチング素子が接触する前記ボックスの内面と反対側に位置する外面に設けられていることを特徴とする請求項１乃至３のいずれか一項に記載のモータ組立体。
【請求項５】
前記ガイド部材によって導かれた気体を、前記冷却フィンに集中させる補助ガイド部材をさらに備えたことを特徴とする請求項１乃至４のいずれか一項に記載のモータ組立体。
【請求項６】
請求項１乃至５のいずれか一項に記載のモータ組立体と、
前記モータ組立体に駆動されるポンプとを備え、
前記ポンプは、縦方向に延びる回転軸を有しており、前記モータ組立体が上、前記ポンプが下に配置されたことを特徴とする縦置型のポンプ装置。
【発明の詳細な説明】
【技術分野】
【０００１】
本発明は、モータ組立体およびポンプ装置に関し、特にインバータを効率よく冷却するための冷却構造を有するモータ組立体に関するものである。
【背景技術】
【０００２】
ポンプを駆動する駆動源としては、モータが広く採用されている。最近では、モータにインバータを取り付けたインバータ一体型のポンプモータが主流となりつつある。インバータは、パワースイッチング素子（例えば、Insulated  Gate  Bipolar  Transistor（ＩＧＢＴ）、パワーＭＯＳ  ＦＥＴなど）を備えており、このパワースイッチング素子により、モータに供給する電源の周波数を変化させ、モータの回転速度を変化させる。
【０００３】
このようなポンプモータを駆動している間、インバータおよびモータは熱を発生する。特に、インバータのパワースイッチング素子は、小さな表面積であるにもかかわらず高熱を発生するため、高温となってしまう。しかも、インバータは多くの電子デバイスを備えているため、モータに比べて耐熱温度が低い。したがって、モータのみならず、インバータを効率よく冷却することが重要とされる。
【０００４】
【特許文献１】特開平１１−１２２８７５号公報
【特許文献２】実開昭６１−７２０５５号公報
【特許文献３】特開昭６３−１６２９９７号公報
【発明の開示】
【発明が解決しようとする課題】
【０００５】
本発明は、上述した事情に鑑みてなされたもので、インバータを効率よく冷却することができるモータ組立体および該モータ組立体を備えたポンプ装置を提供することを目的とする。
【課題を解決するための手段】
【０００６】
上述した目的を達成するために、本発明の一態様は、ポンプに連結されるモータと、前記モータの側部に固定され、冷却フィンを有するインバータと、前記モータと前記ポンプとの間に配置され、前記モータの回転軸に取り付けられた冷却ファンと、前記モータの少なくとも一部と前記冷却ファンとを覆い、前記モータと隙間を介して配置されたカバーと、前記モータと前記カバーとの間の隙間に配置され、該隙間を塞ぐように形成されたガイド部材を備え、前記ガイド部材は、前記冷却ファンからの空気の流れを前記インバータに集中させ、風の流速を上げる形状を有しており、前記インバータの冷却フィンの少なくとも一部は、前記モータに近接して配置されていることを特徴とするモータ組立体である。
【０００７】
本発明の好ましい態様は、前記ガイド部材は、一部が欠けた環状のプレートから構成されていることを特徴とする。
本発明の好ましい態様は、前記プレートは、前記インバータに向かって傾斜していることを特徴とする。
本発明の好ましい態様は、前記インバータには、パワースイッチング素子と、該パワースイッチング素子を収容するボックスとを有し、前記パワースイッチング素子は、前記ボックスの内面に接触しており、前記冷却フィンは、前記パワースイッチング素子が接触する前記ボックスの内面と反対側に位置する外面に設けられていることを特徴とする。
本発明の好ましい態様は、前記ガイド部材によって導かれた気体を、前記冷却フィンに集中させる補助ガイド部材をさらに備えたことを特徴とする。
【０００８】
本発明の一参考例は、前記インバータは、パワースイッチング素子と、該パワースイッチング素子を収容するボックスとを有し、前記パワースイッチング素子は、前記ボックスの内面に接触しており、前記パワースイッチング素子が接触する前記ボックスの内面と反対側に位置する外面には、前記ポンプから供給される液体が流れる冷却ジャケットが取り付けられていることを特徴とする。
本発明の他の参考例は、前記カバーの内面には、吸音材または制振材が取り付けられていることを特徴とする。
【０００９】
本発明の他の態様は、上記モータ組立体と、上記モータ組立体に駆動されるポンプとを備え、前記ポンプは、縦方向に延びる回転軸を有しており、前記モータ組立体が上、前記ポンプが下に配置されたことを特徴とする縦置型のポンプ装置である。
【発明の効果】
【００１０】
本発明によれば、インバータの冷却フィンがモータに近接して配置されているので、冷却ファンの回転によって形成される気体（通常は空気）の流れは、モータのみならず、インバータの冷却フィンにも接触する。したがって、モータと同時にインバータを効率よく冷却することができる。
【発明を実施するための最良の形態】
【００１１】
以下、本発明の実施形態について図面を参照して説明する。
図１（ａ）は、本発明の第１の実施形態に係るモータ組立体を備えたポンプ装置を示す側面図であり、図１（ｂ）は図１（ａ）のポンプ装置の部分断面図である。
【００１２】
ポンプ装置は、液体を移送するポンプ１と、このポンプ１を駆動する本発明の実施形態に係るモータ組立体２とを備えている。モータ組立体２は、ポンプ１に連結されたモータ５と、モータ５の回転速度を制御するインバータ６と、モータ５とポンプ１との間に配置された冷却ファン８と、モータ５及び冷却ファン８を覆うカバー７とを備えている。図１（ｂ）においては、カバー７の断面が示されている。カバー７は、モータ５の側面を囲む形状を有するモータカバー７ａと、冷却ファン８全体を覆う形状を有するファンカバー７ｂとを有している。モータ５の側面には、複数の冷却フィン１３が形成されている。
【００１３】
モータ５には、ロータに永久磁石を用いた同期電動機が用いられている。このタイプのモータ（Permanent  Magnet  motor）は、一般的なモータよりも効率がよく、したがって発熱が低いという特徴を持っている。しかしながら、他のタイプのモータを用いてもよいことはいうまでもない。ポンプ１はモータ組立体２により駆動され、液体を吸込口１ａから吸込み、加圧し、そして吐出口１ｂから吐出する。ポンプ１の例としては多段式遠心ポンプが挙げられるが、他の型式のポンプを用いることもできる。
【００１４】
図２（ａ）はモータ組立体２を示す上面図であり、図２（ｂ）はモータ組立体２を示す側面図である。図２（ｃ）は、図２（ｂ）に示すモータ組立体２を矢印Ａの方向から見たときの、インバータ６が無い状態を示す図である。なお、図２（ｂ）では、説明のためにカバー７を想像線で示している。
冷却ファン８は、モータ５の回転軸１０に連結されており、冷却ファン８はモータ５の回転軸１０と一体的に回転するようになっている。冷却ファン８は、金属などの熱伝導性のよい材料から構成されている。したがって、モータ５の熱の一部は、回転軸１０を介して冷却ファン８に伝わり、冷却ファン８から放熱される。なお、冷却ファン８をプラスチックなどの材料で構成してもよい。
【００１５】
インバータ６は、モータ側ブラケット１１およびインバータ側ブラケット１２を介してモータ５の側部に固定されている。より詳しくは、モータ側ブラケット１１はモータ５の側部に形成され、インバータ側ブラケット１２はインバータ６の底部に形成されている。これらモータ側ブラケット１１およびインバータ側ブラケット１２は図示しないボルトによって互いに連結されるようになっており、これによりインバータ６がモータ５に一体に取り付けられる。モータ側ブラケット１１には、インバータ６からモータ５に延びる電力線が通る貫通孔が形成されている。インバータ側ブラケット１２にも、モータ側ブラケット１１の貫通孔に接続される貫通孔が形成されている。
【００１６】
図３（ａ）はインバータ６の裏面図であり、図３（ｂ）はインバータ６の下面図であり、図３（ｃ）はインバータ６の部分断面図である。インバータ６は、パワースイッチング素子１５と、このパワースイッチング素子１５の動作を制御する制御基板１６と、パワースイッチング素子１５および制御基板１６を収容するボックス１７とを備えている。パワースイッチング素子１５は、ボックス１７の底部の内面に接触した状態でボックス１７に固定されている。インバータ６の底部はモータ５に対向しており、その底部の外面全体には冷却フィン１８が設けられている。なお、インバータ６のモータ５に対向する面以外にも、冷却促進のための冷却フィンや凹凸を設けてもよい。
【００１７】
図４（ａ）はモータカバー７ａの側面図であり、図４（ｂ）は図４（ａ）のモータカバー７ａを矢印Ｂの方向から見た図であり、図４（ｃ）は図４（ａ）の下面図である。図５（ａ）は、ファンカバー７ｂの上面図であり、図５（ｂ）はファンカバー７ｂの縦断面図であり、図５（ｃ）は、図５（ｂ）のＣ−Ｃ線断面図である。図６（ａ）はモータ５と冷却ファン８とファンカバー７ｂとの位置関係を示す断面図であり、図６（ｂ）は図６（ａ）に示すファンカバー７ｂの下面図であり、図６（ｃ）は冷却ファン８とファンカバー７ｂとの位置関係を示す平面図である。
【００１８】
モータカバー７ａの上端（反ポンプ側端部）および下端（ポンプ側端部）は開口している。モータカバー７ａの下端開口はファンカバー７ｂの上端開口に接続される。モータカバー７ａの下端開口とファンカバー７ｂの上端開口とが接続されることで、カバー７が構成される。なお、モータカバー７ａとファンカバー７ｂとを一体に成形してカバー７を構成してもよい。モータカバー７ａは、モータ５の側面全体を覆う形状を有しており、モータ５の外面とモータカバー７ａの内面との間には隙間が形成されている。
【００１９】
図２（ｂ）および図４（ｂ）に示すように、モータカバー７ａの側部には開口９が形成されており、この開口９を貫通するように、インバータ６の冷却フィン１８がモータ５に向かって延びている。すなわち、インバータ６の冷却フィン１８は、モータ５の側面に近接し、またモータ５の冷却フィン１３に隣接している。
【００２０】
図２（ｂ）、図５（ｂ）、および図６（ａ）に示すように、ファンカバー７ｂは、モータ５の下端（ポンプ側端部）に近接して配置され、冷却ファン８全体とモータ５の下端を囲む形状を有している。ファンカバー７ｂの内面には、モータ５の下端を支える複数の支持台１４が一体に形成されている。これら支持台１４は、モータ５の回転軸１０を中心として等間隔に配置されており、これによりファンカバー７ｂとモータ５との間には隙間が形成されている。
【００２１】
ファンカバー７ｂの下面（ポンプ側の面）には、空気取り入れ孔（気体取り入れ孔）２０が形成されている。ファンカバー７ｂの下面にはブラケット１９が一体に形成されている。ブラケット１９は、空気取り入れ孔２０の周囲に配置された複数の支柱１９ａと、これら支柱１９ａの下端に一体に接続された台座１９ｂとを有している。冷却ファン８を回転させると、空気が空気取り入れ孔２０からカバー７内に流入し、空気の流れ（上昇流）がカバー７とモータ５との間の隙間に形成されるようになっている。
【００２２】
図７は、冷却ファン８の回転によって形成される空気の流れを説明する図である。図７に示すように、冷却ファン８の回転によって空気取り入れ孔２０から空気（気体）がカバー７内に流入し、モータ５とカバー７との間の隙間に上昇流を形成する。この空気はモータ５の冷却フィン１３の間、およびインバータ６の冷却フィン１８の間を流れ、これによりモータ５およびインバータ６を冷却する。その後、空気はカバー７の上端開口から排出される。このように、空気の流れは、モータ５の冷却フィン１３のみならず、インバータ６の冷却フィン１８にも接触するので、モータ５およびインバータ６を効率よく冷却することができる。
【００２３】
冷却ファン８はモータ５とポンプ１との間に配置されているので、モータ５の回転軸１０の上端（反ポンプ側端部）をモータ５の内部に位置させることができる。つまり、冷却ファン８はモータ５の上方には配置されないので、回転軸１０をモータ５の上壁を貫通させる必要がない。したがって、雨や埃がモータ５の内部に侵入することが防止され、屋外での使用に好適なモータ組立体が提供される。
【００２４】
モータ組立体２の作動中は、モータ５や冷却ファン８から騒音が発生する。そこで、このような騒音を低減させるために、図８（ａ）および図８（ｂ）に示すように、カバー７の内面に吸音材または制振材を取り付けることが好ましい（図８（ａ）および図８（ｂ）において、吸音材または制振材は符号２３で表わされている）。ここで、吸音材とは、音を内部に取り込んで音エネルギーを熱エネルギーに変換することで音を吸収する部材をいう。吸音材の例としてはスポンジやウレタンフォームが挙げられる。一方、制振材とは、固体の振動エネルギーを熱エネルギーに変換することによって固体の振動を低減させる部材をいう。制振材の例としてはゴム板やプラスチック板が挙げられる。
【００２５】
次に、本発明の第２の実施形態について説明する。
図９（ａ）は、本発明の第２の実施形態に係るモータ組立体を備えたポンプ装置を示す側面図であり、図９（ｂ）は図９（ａ）のポンプ装置の部分断面図である。図１０（ａ）は本実施形態のモータ組立体を示す上面図であり、図１０（ｂ）はモータ組立体を示す側面図であり、図１０（ｃ）は、図１０（ｂ）に示すモータ組立体を矢印Ｅの方向から見たときの、インバータ６が無い状態を示す図である。図１０（ｂ）では、カバー７の断面が示されている。図１１（ａ）はモータカバー７ａの側面図であり、図１１（ｂ）は図１１（ａ）のモータカバー７ａを矢印Ｆ方向から見た図であり、図１１（ｃ）は図１１（ａ）の下面図である。なお、特に説明しない本実施形態の構成は上述した第１の実施形態と同様であるので、その重複する説明を省略する。
【００２６】
カバー７は、ポンプの一部及び冷却ファン８を覆う形状を有している。より詳しくは、モータカバー７ａは、モータ５の側面の下半分を覆う形状を有している。モータカバー７ａの上端開口（反ポンプ側端部）は斜めに形成されており、その下端開口はファンカバー７ｂの上端開口に接続される。モータ５とカバー７との間には、上述の実施形態と同様に、隙間が形成されている。
【００２７】
上述の実施形態と異なり、カバー７に覆われているモータ５の側面には冷却フィンは設けられていない。すなわち、この実施形態では、モータカバー７ａに覆われていないモータ５の側面に複数の冷却フィン１３が形成されている。インバータ６の冷却フィン１８は、モータ５の外面に近接し、またモータ５の冷却フィン１３に隣接している。
【００２８】
モータ５の側面には、モータカバー７ａの上端開口に沿って傾斜するガイド部材２１が固定されている。このガイド部材２１は、一部が欠けた環状のプレートから構成されており、インバータ６に向かって上方に傾斜している。ガイド部材２１は、カバー７の内面とモータ５の外面との間の隙間に位置し、カバー７の上端においてこの隙間を塞ぐように形成されている。
【００２９】
図１２は、冷却ファン８の回転によって形成される空気の流れを説明するための図である。図１２示すように、冷却ファン８の回転によって空気取り入れ孔２０から空気（気体）がカバー７内に流入し、モータ５とカバー７との間の隙間に上昇流を形成する。この空気はモータ５の外面に沿ってガイド部材２１に向かって流れ、このガイド部材２１によってその進行方向がインバータ６に向けられる。そして、空気はインバータ６の底部に設けられた冷却フィン１８の間を流れ、これによりインバータ６が冷却される。このように、ガイド部材２１によって空気の流れをインバータ６に集中させることができ、さらに、風の流速が上がることで熱伝達率が向上するので、インバータ６を効果的に冷却することができる。
【００３０】
一般に、モータ５は発熱部であるステータ（コイル）の表面積が大きいため放熱しやすく、冷却が比較的進みやすい。一方、インバータ６は発熱部であるパワースイッチング素子１５の表面積が小さいため、放熱による冷却が進みにくい。さらに、インバータ６は多くの電子デバイスを有しているため、モータ５に比べて耐熱温度が低い。
【００３１】
上述した実施形態によれば、冷却ファン８によって形成される空気の流れを強制的にインバータ６に向かわせることができるので、インバータ６を速やかに冷却することができる。また、図３（ｃ）に示すように、パワースイッチング素子１５はボックス１７の底部に接触し、この底部に冷却フィン１８が形成されているので、冷却効率をさらに上げることができる。
【００３２】
冷却ファン８からの空気は、モータ５の一部に沿って流れるので、この空気の流れはモータ５の冷却にも寄与する。さらに、モータ５は、その外面に形成された冷却フィン１３によって冷却される。モータ５の冷却フィン１３の表面積は、インバータ６の冷却フィン１８に比べて大きく、また、モータ５の耐熱温度は比較的高いことから、これら冷却フィン１３や空気の流れによってモータ５を十分に冷却することができる。
【００３３】
ここで、図１３に示すように、複数のガイド部材２１を設けることもできる。また、ガイド部材２１を、モータ５の外面ではなく、カバー７の内面に設けることもできる。この場合でも、複数のガイド部材２１を設けることができる。さらに、カバー７の内面に吸音材または制振材を取り付けてもよい。
【００３４】
次に、本発明の第３の実施形態について図１４（ａ）乃至図１４（ｄ）を参照して説明する。
図１４（ａ）は本発明の第３の実施形態に係るモータ組立体２のインバータ６を示す裏面図であり、図１４（ｂ）は上記インバータ６の下面図であり、図１４（ｃ）は上記インバータ６の部分断面図であり、図１４（ｄ）はモータ組立体２の下面図である。なお、図１４（ｄ）においては、カバー７を想像線で表している。このカバー７の形状は、第２の実施形態に係るカバー７の形状と同じである。また、特に説明しない本実施形態の構成は、上述した第２の実施形態と同様であるので、その重複する説明を省略する。
【００３５】
この実施形態では、ボックス１７の底部の外面の一部にのみ冷却フィン１８が設けられている。より具体的には、パワースイッチング素子１５はボックス１７の内面に接触し、冷却フィン１８はボックス１７の外面に設けられ、パワースイッチング素子１５と冷却フィン１８とは互いに対応する位置（反対側の位置）にある。冷却フィン１８の設置面積は、パワースイッチング素子１５とボックス１７との接触面積とほぼ同じである。
【００３６】
さらに、ボックス１７の底部の外面には、ガイド部材２１によって導かれた空気をさらに上記冷却フィン１８に集中させる補助ガイド部材（第２のガイド部材）２２が設けられている。この補助ガイド部材２２は、冷却フィン１８の両側に配置されている。各補助ガイド部材２２は、冷却フィン１８の端部（この例では下端）に向かって傾斜する傾斜部を有している。
【００３７】
本実施形態によれば、冷却ファン８から送られる空気のほとんどを、パワースイッチング素子１５の冷却に用いることができる。したがって、最も発熱量が大きいパワースイッチング素子１５を速やかに冷却することができる。なお、この実施形態においても、カバー７の内面に吸音材または制振材を取り付けてもよい。
【００３８】
図１５は本発明の第４の実施形態に係るモータ組立体を備えたポンプ装置を示す側面図である。図１６（ａ）は図１５に示すインバータ６の裏面図であり、図１６（ｂ）は上記インバータ６の下面図であり、図１６（ｃ）は上記インバータ６の部分断面図である。なお、図１５においては、カバー７の断面が示されている。このカバー７の形状は、第２の実施形態に係るカバー７の形状と同じである。また、特に説明しない本実施形態の構成は、上述した第２の実施形態と同様であるので、その重複する説明を省略する。
【００３９】
インバータ６には、冷却ジャケット２４が固定されている。この冷却ジャケット２４は、液体が流れる流入ライン２５および流出ライン２６を介してポンプ１に接続されている。流入ライン２５の端部はポンプ１の吐出側流路に接続されており、流出ライン２６の端部はポンプ１の吸込側流路に接続されている。ポンプ１を駆動させると、ポンプ１の吐出側流路と吸込側流路との間には差圧が生じ、この差圧により、ポンプ１に移送される液体の一部が流入ライン２５を通って冷却ジャケット２４に流入し、冷却ジャケット２４を通過し、そしてポンプ１に戻る。
【００４０】
冷却ジャケット２４が取り付けられている箇所は、第３の実施形態の冷却フィン１８が設けられている箇所と同じである。すなわち、パワースイッチング素子１５はボックス１７の内面に接触し、冷却ジャケット２４はボックス１７の外面に接触し、パワースイッチング素子１５と冷却ジャケット２４は互いに対応する位置（反対側の位置）にある。
【００４１】
通常、ポンプ１によって移送される液体は、インバータ６の温度よりも低い温度を有している。したがって、液体が冷却ジャケット２４を通過する間、インバータ６と液体との間で熱交換が行われ、これによりインバータ６が冷却される。また、冷却ジャケット２４が取り付けられている箇所を除く、インバータ６のボックス１７の底部の外面には冷却フィン１８が設けられている。したがって、冷却ファン８により送られてくる空気により、インバータ６全体が空気により冷却される。このように、パワースイッチング素子１５を冷却ジャケット２４により冷却しつつ、インバータ６全体を冷却フィン１８により冷却することができるので、より効率よくインバータ６を冷却することができる。なお、この実施形態においても、カバー７の内面に吸音材または制振材を取り付けてもよい。
【００４２】
図１７は、本発明の第５の実施形態に係るモータ組立体を備えたポンプ装置を示す側面図である。この実施形態は、上述した第４の実施形態に係る冷却ジャケットを第１の実施形態に係るモータ組立体に適用した例である。この実施形態のインバータ６は、図１６（ａ）乃至図１６（ｃ）に示すインバータと同一の構成である。この例においても、冷却ファン８からの空気と、ポンプ１からの液体とにより、インバータ６を効率よく冷却することができる。
【００４３】
なお、上述したポンプ装置は、ポンプの回転軸が縦方向に延びる、いわゆる縦置型ポンプ装置である。このタイプのポンプ装置は、設置面積やフットプリントが小さくなるという利点を有する。しかしながら、本発明はこれに限らず、横置き型のポンプ装置であってもよい。
【００４４】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲とすべきである。
【図面の簡単な説明】
【００４５】
【図１】図１（ａ）は、本発明の第１の実施形態に係るモータ組立体を備えたポンプ装置を示す側面図であり、図１（ｂ）は図１（ａ）のポンプ装置の部分断面図である。
【図２】図２（ａ）はモータ組立体を示す上面図であり、図２（ｂ）はモータ組立体を示す側面図であり、図２（ｃ）は、図２（ｂ）に示すモータ組立体を矢印Ａの方向から見たときの、インバータが無い状態を示す図である。
【図３】図３（ａ）はインバータの裏面図であり、図３（ｂ）はインバータの下面図であり、図３（ｃ）はインバータの部分断面図である。
【図４】図４（ａ）はモータカバーの側面図であり、図４（ｂ）は図４（ａ）のモータカバーを矢印Ｂの方向から見た図であり、図４（ｃ）は図４（ａ）の下面図である。
【図５】図５（ａ）はファンカバーの上面図であり、図５（ｂ）はファンカバーの縦断面図であり、図５（ｃ）は図５（ｂ）のＣ−Ｃ線断面図である。
【図６】図６（ａ）はモータと冷却ファンとファンカバーとの位置関係を示す断面図であり、図６（ｂ）は図６（ａ）に示すファンカバーの下面図であり、図６（ｃ）は冷却ファンとファンカバーとの位置関係を示す平面図である。
【図７】冷却ファンの回転によって形成される空気の流れを説明する図である。
【図８】図８（ａ）はモータカバーの内面に吸音材または制振材を取り付けた例を示す側面であり、図８（ｂ）は図８（ａ）のＤ−Ｄ線断面図である。
【図９】図９（ａ）は、本発明の第２の実施形態に係るモータ組立体を備えたポンプ装置を示す側面図であり、図９（ｂ）は図９（ａ）のポンプ装置の部分断面図である。
【図１０】図１０（ａ）は本発明の第２の実施形態のモータ組立体を示す上面図であり、図１０（ｂ）はモータ組立体を示す側面図であり、図１０（ｃ）は、図１０（ｂ）に示すモータ組立体を矢印Ｅの方向から見たときの、インバータが無い状態を示す図である。
【図１１】図１１（ａ）はモータカバーの側面図であり、図１１（ｂ）は図１１（ａ）のモータカバーを矢印Ｆ方向から見た図であり、図１１（ｃ）は図１１（ａ）の下面図である。
【図１２】冷却ファンの回転によって形成される空気の流れを説明するための図である。
【図１３】複数のガイド部材が設けられたモータを示す側面図である。
【図１４】図１４（ａ）は本発明の第３の実施形態に係るモータ組立体のインバータを示す裏面図であり、図１４（ｂ）は上記インバータの下面図であり、図１４（ｃ）は上記インバータの部分断面図であり、図１４（ｄ）はモータ組立体の下面図である。
【図１５】本発明の第４の実施形態に係るモータ組立体を備えたポンプ装置を示す側面図である。
【図１６】図１６（ａ）は図１５に示すインバータの裏面図であり、図１６（ｂ）は上記インバータの下面図であり、図１６（ｃ）は上記インバータの部分断面図である。
【図１７】本発明の第５の実施形態に係るモータ組立体を備えたポンプ装置を示す側面図である。
【符号の説明】
【００４６】
１      ポンプ
２      モータ組立体
５      モータ
６      インバータ
７      カバー
８      冷却ファン
９      開口
１０      回転軸
１１      モータ側ブラケット
１２      インバータ側ブラケット
１３      冷却フィン
１４      支持台
１５      パワースイッチング素子
１６      制御基板
１７      ボックス
１８      冷却フィン
１９      ブラケット
２０      空気取り入れ孔
２１      ガイド部材
２２      補助ガイド部材
２３      吸音材または制振材
２４      冷却ジャケット
２５      流入ライン
２６      流出ライン
【図１】
0005215728.tif 000002
【図２】
0005215728.tif 000003
【図３】
0005215728.tif 000004
【図４】
0005215728.tif 000005
【図５】
0005215728.tif 000006
【図６】
0005215728.tif 000007
【図７】
0005215728.tif 000008
【図８】
0005215728.tif 000009
【図９】
0005215728.tif 000010
【図１０】
0005215728.tif 000011
【図１１】
0005215728.tif 000012
【図１２】
0005215728.tif 000013
【図１３】
0005215728.tif 000014
【図１４】
0005215728.tif 000015
【図１５】
0005215728.tif 000016
【図１６】
0005215728.tif 000017
【図１７】
0005215728.tif 000018